(57)【要約】      （修正有）【課題】簡便に浮力を得られる浮力補助具を提供する。【解決手段】浮力補助具１は、陸上自衛官等の使用者に携行されるコンテナ１０に耐水性に優れ、強度が高い素材を使用して、防水袋のような構造とするとともに、小銃を保護するための内部緩衝材として、水が滲み込みにくく、浮力を長時間維持できる独立気泡を有する発泡体を使用することで、コンテナ１０に洋上浮遊可能な浮力を与えることができる。これにより、使用者は、洋上での行動が想定される場合でも、別途救命胴衣を装着することなく、陸上では小銃を収納して保護するためのコンテナ１０を、洋上では浮力補助具１として使用して、簡便に浮力を得られることができる。【選択図】図１
2015229355.tif 000002
【特許請求の範囲】
【請求項１】
収納物を携行するためのコンテナに浮力を与えた浮力補助具であって、
前記コンテナには、前記収納物を保護するための緩衝材として、該コンテナに浮力を与える緩衝材が挿入されている、
ことを特徴とする浮力補助具。
【請求項２】
前記緩衝材は、独立気泡を有する発泡体から構成されている、
ことを特徴とする請求項１に記載の浮力補助具。
【請求項３】
前記コンテナには、前記収納物を出入するためのファスナが設けられ、
前記ファスナの長さは、前記収納物の出入に支障を来さない範囲で可能な限りに短くなっている、
ことを特徴とする請求項１又は２に記載の浮力補助具。
【請求項４】
前記コンテナは、前記収納物として小銃を収納し、
前記ファスナは、前記コンテナから前記小銃を取り出すことなく引金を引ける位置に設けられている、
ことを特徴とする請求項３に記載の浮力補助具。
【請求項５】
前記コンテナには、肩に掛けて携行するためのショルダベルトが取り付けられている、
ことを特徴とする請求項１乃至４のいずれか１項に記載の浮力補助具。
【請求項６】
前記コンテナは、他者から目立たない色となっている、
ことを特徴とする請求項１乃至５のいずれか１項に記載の浮力補助具。
【発明の詳細な説明】
【技術分野】
【０００１】
本発明は、浮力補助具に関し、特に、簡便に浮力を得られる浮力補助具に関する。
【背景技術】
【０００２】
港湾作業や内海用漁船等で作業する場合に装着し、不慮の事故に備えるものとして、浮力を有する固形式救命胴衣や膨張式救命胴衣等の救命胴衣がある（例えば特許文献１参照）。
【先行技術文献】
【特許文献】
【０００３】
【特許文献１】特開平７−２３２６９７号公報
【発明の概要】
【発明が解決しようとする課題】
【０００４】
近年、主に陸上で行動する陸上自衛官にも、洋上で行動するケースが想定されるようになってきているが、ただでさえ装備品の多い陸上自衛官に特許文献１に記載されているような救命胴衣を装着させることは、重量面等の問題から、現実的には極めて困難である。
【０００５】
本発明は、上記の課題を解決するためになされたものであって、簡便に浮力を得られる浮力補助具を提供することを目的とする。
【課題を解決するための手段】
【０００６】
上記目的を達成するため、本発明に係る浮力補助具は、収納物を携行するためのコンテナに浮力を与えた浮力補助具であって、前記コンテナには、前記収納物を保護するための緩衝材として、該コンテナに浮力を与える緩衝材が挿入されている、ことを特徴とする。
【０００７】
上記の浮力補助具において、前記緩衝材は、独立気泡を有する発泡体から構成されている、ものであってもよい。
【０００８】
また、上記の浮力補助具において、前記コンテナには、前記収納物を出入するためのファスナが設けられ、前記ファスナの長さは、前記収納物の出入に支障を来さない範囲で可能な限りに短くなっている、ものであってもよい。
【０００９】
さらに、上記の浮力補助具において、前記コンテナは、前記収納物として小銃を収納し、前記ファスナは、前記コンテナから前記小銃を取り出すことなく引金を引ける位置に設けられている、ものであってもよい。
【００１０】
加えて、上記の浮力補助具において、前記コンテナには、肩に掛けて携行するためのショルダベルトが取り付けられている、ものであってもよい。
【００１１】
そして、上記の浮力補助具において、前記コンテナは、他者から目立たない色となっている、ものであってもよい。
【発明の効果】
【００１２】
本発明によれば、簡便に浮力を得られる浮力補助具を提供することができる。
【図面の簡単な説明】
【００１３】
【図１】本実施形態に係る浮力補助具の斜視図である。
【図２】本実施形態に係る浮力補助具に収納される小銃の側面図である。
【図３】本実施形態に係る浮力補助具の断面図である。
【発明を実施するための形態】
【００１４】
以下、本発明の実施形態に係る浮力補助具を図面を参照して説明する。
【００１５】
図１は、本実施形態に係る浮力補助具の斜視図である。図２は、本実施形態に係る浮力補助具に収納される小銃の側面図である。図３は、本実施形態に係る浮力補助具の断面図である。
【００１６】
浮力補助具１は、陸上自衛官等の使用者に携行されるもので、図１に示すように、小銃２を収納して携行するためのコンテナ１０と、小銃２を出入するためのファスナ２０と、肩に掛けて携行するためのショルダベルト３０と、を備えている。
【００１７】
小銃２は、例えば８９式５．５６ｍｍ小銃等であって、図２に示すように、弾丸が発射される銃口２１と、弾薬を装填する弾倉２２と、弾丸を発射するための引金２３と、引金２３を引く際に把持する銃把２４と、肩に当て照準を安定させるための銃床２５と、を備えている。
【００１８】
なお、小銃２は、８９式５．５６ｍｍ小銃に限定されるものではなく、例えば６４式７．６２ｍｍ小銃等の他のアサルトライフルであってもよいし、アサルトライフル以外の小銃であってもよい。
【００１９】
図１に示すコンテナ１０は、例えばターポリン等といった耐水性に優れ、強度が高い素材を使用して、防水袋のような構造に形成されている。
【００２０】
なお、コンテナ１０に使用される素材は、ターポリンに限定されるものではなく、耐水性に優れ、強度が高い素材であれば任意であり、ナイロン等の合成繊維や天然繊維にウレタン等の合成樹脂をコーティング又はラミネートして形成された素材等であってもよい。
【００２１】
また、コンテナ１０は、図３に示すように、その内部に複数の収納部１１を備え、収納部１１には、小銃２を保護するとともに、コンテナ１０に浮力を与えるための内部緩衝材が挿入（充填）されている。
【００２２】
本実施形態において、内部緩衝材は、例えばクロロプレン発泡体や、ポリエチレン発泡体、ポリウレタン発泡体等といった独立気泡を有する発泡体から構成されている。
【００２３】
独立気泡を有する発泡体は、水が滲み込みにくく、浮力を長時間維持できるといった利点を有するため、コンテナ１０に洋上浮遊可能な浮力を与えて浮力補助具１として使用することが可能となる。
【００２４】
そして、このようなコンテナ１０に与えられる浮力は、小型船舶安全規則第５３条第３項第１号の規定を満たすもの、すなわち、六キログラムの質量の鉄片を淡水中で二十四時間以上支えることができるようなものであることが好ましい。
【００２５】
さらに、コンテナ１０は、使用者の隠密行動を可能にするために、例えば黒色や迷彩色等といった他者から目立たない色となっている。
【００２６】
図１に示すファスナ２０は、例えば汎用の耐水性スライドファスナ等から構成され、コンテナ１０の水密性を保持することが可能となっている。
【００２７】
本実施形態において、ファスナ２０は、図３に示すように、コンテナ１０の側面のうち、小銃２の弾倉２２から銃床２５に対応する部分に架けて設けられている。
【００２８】
このように、ファスナ２０の長さを小銃２の出入に支障を来さない範囲で可能な限り短くすることで、コンテナ１０内部への浸水を可及的に防止することができる。
【００２９】
また、ファスナ２０を、小銃２の弾倉２２から銃床２５に対応する部分に架けて設けることで、使用者は、ファスナ２０の全部又は一部を開放すれば、銃把２４を握って引金２３を引くことができるため、有事の際には、コンテナ１０から小銃２を取り出すことなく銃口２１から弾丸を発射することができる。
【００３０】
なお、ファスナ２０も、コンテナ１０と同様に、使用者の隠密行動を可能にするために、例えば黒色や迷彩色等といった他者から目立たない色としてもよい。
【００３１】
図１に示すショルダベルト３０は、例えば汎用の調整式ショルダベルト等から構成され、コンテナ１０の２つの表面に架けて取り付けられている。
【００３２】
また、ショルダベルト３０のコンテナ１０への２つの取付部のうち、一方の取付部付近には、使用者の体型に合わせてショルダベルト３０の長さを調整可能なショルダベルトサイズ調整環３１が設けられている。
【００３３】
ショルダベルトサイズ調整環３１には、海水による錆等の腐食を防止すべく、耐食性の調整金具等が用いられている。
【００３４】
また、ショルダベルト３０も、コンテナ１０と同様に、使用者の隠密行動を可能にするために、例えば黒色や迷彩色等といった他者から目立たない色となっている。
【００３５】
使用者は、ショルダベルト３０を肩に掛けることで、浮力補助具１が波に流されることを防止し、洋上での行動及び携行を容易にすることができる。
【００３６】
以上説明したように、本実施形態における浮力補助具１は、陸上自衛官等の使用者に携行されるコンテナ１０に耐水性に優れ、強度が高い素材を使用して、防水袋のような構造とするとともに、小銃２を保護するための内部緩衝材として、水が滲み込みにくく、浮力を長時間維持できる独立気泡を有する発泡体を使用することで、コンテナ１０に洋上浮遊可能な浮力を与えることができる。
【００３７】
これにより、使用者は、洋上での行動が想定される場合でも、別途救命胴衣を装着することなく、陸上では小銃２を収納して保護するためのコンテナ１０を、洋上では浮力補助具１として使用して、簡便に浮力を得られることができる。
【００３８】
また、浮力補助具１は、ファスナ２０の長さを小銃２の出入に支障を来さない範囲で可能な限り短くすることで、コンテナ１０内部への浸水を可及的に防止することができる。
【００３９】
さらに、ファスナ２０は、コンテナ１０の側面のうち、小銃２の弾倉２２から銃床２５に対応する部分に架けて設けられている。すなわち、ファスナ２０は、コンテナ１０から小銃２を取り出すことなく引金２３を引ける位置に設けられているので、有事の際には、コンテナ１０から小銃２を取り出すことなく銃口２１から弾丸を発射することができる。
【００４０】
加えて、使用者は、ショルダベルト３０を肩に掛けることで、浮力補助具１が波に流されることを防止し、洋上での行動及び携行を容易にすることができる。
【００４１】
さらに、コンテナ１０やショルダベルト３０等を、例えば黒色や迷彩色等といった他者から目立たない色とすることで、使用者の隠密行動が可能となる。
【００４２】
なお、本発明は、上記実施形態に限定されず、種々の変形、応用が可能である。以下、本発明に適用可能な上記実施形態の変形態様について、説明する。
【００４３】
上記実施形態では、コンテナ１０を防水袋のような構造とするとともに、小銃２を保護するための内部緩衝材として独立気泡を有する発泡体を使用することで、コンテナ１０に洋上浮遊可能な浮力を与えるものとして説明した。しかしながら、本発明はこれに限定されるものではなく、コンテナ１０に、独立気泡を有する発泡体に加えて、或いはこれに代えて、ボンベからの気体の流入によって膨張する気室を設けることにより、洋上浮遊可能な浮力を与えるようにしてもよい。このような気室は、洋上に移動したときに、使用者が作動索を引くこと、或いは水を検知すると作動する自動膨張装置によって、ボンベから気体が注入されて膨張するものであればよい。
【００４４】
上記実施形態では、洋上での行動及び携行を容易にすべく、浮力補助具１にショルダベルト３０が取り付けられているものとして説明したが、本発明はこれに限定されるものではなく、浮力補助具１には、洋上での行動及び携行を容易にするものとして、ショルダベルト３０に加えて、或いはこれに代えて、防水加工された操作用ハンドルが取り付けられてもよい。
【００４５】
上記実施形態において、コンテナ１０には、小銃２が収納されるものとして説明したが、本発明はこれに限定されるものではなく、コンテナ１０の収納物は任意である。
【符号の説明】
【００４６】
１  浮力補助具
２  小銃
１０  コンテナ
１１  収納部
２０  ファスナ
２１  銃口
２２  弾倉
２３  引金
２４  銃把
２５  銃床
３０  ショルダベルト
３１  ショルダベルトサイズ調整環
【図２】
2015229355.tif 000003
【図３】
2015229355.tif 000004
【図１】
2015229355.tif 000005
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
小銃を収納する収納空間を有し、使用者に携行されるコンテナと、
前記コンテナに挿入され、前記小銃を保護する緩衝材であって当該コンテナに浮力を与える緩衝材と、
前記コンテナに設けられ、前記小銃を前記収納空間から出し入れするときに開閉されるファスナと、を備え、
前記コンテナと前記ファスナとは耐水性を有し、前記ファスナが閉じられたときに前記収納空間への浸水を防止する、
ことを特徴とする浮力補助具。
【請求項２】
小銃を収納する収納空間を有し、使用者に携行されるコンテナと、
前記コンテナに挿入され、前記小銃を保護する緩衝材であって当該コンテナに浮力を与える緩衝材と、を備え、
前記小銃が前記収納空間に収納された状態で六キログラムの質量の鉄片を淡水中で二十四時間以上支えることができる、
ことを特徴とする浮力補助具。
【請求項３】
前記緩衝材は、独立気泡を有する発泡体から構成されている、
ことを特徴とする請求項１又は２に記載の浮力補助具。
【請求項４】
前記ファスナの長さは、前記小銃の出入に支障を来さない範囲で可能な限りに短くなっている、
ことを特徴とする請求項１に記載の浮力補助具。
【請求項５】
前記ファスナは、前記コンテナから前記小銃を取り出すことなく引金を引ける位置に設けられている、
ことを特徴とする請求項１又は４に記載の浮力補助具。
【請求項６】
前記コンテナには、肩に掛けて携行するためのショルダベルトが取り付けられている、
ことを特徴とする請求項１乃至５のいずれか１項に記載の浮力補助具。
【請求項７】
前記コンテナは、他者から目立たない色となっている、
ことを特徴とする請求項１乃至６のいずれか１項に記載の浮力補助具。
【手続補正２】
【補正対象書類名】明細書
【補正対象項目名】０００６
【補正方法】変更
【補正の内容】
【０００６】
上記目的を達成するため、本発明の第１の観点に係る浮力補助具は、
小銃を収納する収納空間を有し、使用者に携行されるコンテナと、
前記コンテナに挿入され、前記小銃を保護する緩衝材であって当該コンテナに浮力を与える緩衝材と、
前記コンテナに設けられ、前記小銃を前記収納空間から出し入れするときに開閉されるファスナと、を備え、
前記コンテナと前記ファスナとは耐水性を有し、前記ファスナが閉じられたときに前記収納空間への浸水を防止する、
ことを特徴とする。
また、本発明の第２の観点に係る浮力補助具は、
小銃を収納する収納空間を有し、使用者に携行されるコンテナと、
前記コンテナに挿入され、前記小銃を保護する緩衝材であって当該コンテナに浮力を与える緩衝材と、を備え、
前記小銃が前記収納空間に収納された状態で六キログラムの質量の鉄片を淡水中で二十四時間以上支えることができる、
ことを特徴とする。
【手続補正３】
【補正対象書類名】明細書
【補正対象項目名】０００８
【補正方法】変更
【補正の内容】
【０００８】
また、上記の浮力補助具において、前記ファスナの長さは、前記小銃の出入に支障を来さない範囲で可能な限りに短くなっている、ものであってもよい。
【手続補正４】
【補正対象書類名】明細書
【補正対象項目名】０００９
【補正方法】変更
【補正の内容】
【０００９】
さらに、上記の浮力補助具において、前記ファスナは、前記コンテナから前記小銃を取り出すことなく引金を引ける位置に設けられている、ものであってもよい。